(57)【特許請求の範囲】
【請求項１】
水を放散するノズル（２）と、
前記ノズルを支持するノズル支持部材（４）と、
前記ノズル支持部材が取り付けられた部材であって、室外機（１０）に取り付けられる室外機取付け部材（５）とを備え、
前記ノズルは前記ノズル支持部材に位置可変に固定され、
前記ノズル支持部材（４）を前記室外機取付け部材（５）に取り付ける連結部は、当該両部材への連結位置を相対的に変えるものである、室外機の補助冷却装置。
【請求項２】
水を放散するノズル（２）と、
前記ノズルを支持するノズル支持部材（４）と、
前記ノズル支持部材が取り付けられた部材であって、室外機（１０）に取り付けられる室外機取付け部材（５）とを備え、
前記ノズルは前記ノズル支持部材に位置可変に固定され、
前記ノズル支持部材（４）と前記室外機取付け部材（５）とを連結する部材であって、前記ノズル支持部材（４）と前記室外機取付け部材（５）とのうちの少なくとも一方に位置可変に固定されたノズル支持部固定部材（７）を備える、室外機の補助冷却装置。
【請求項３】
前記ノズル（２）を搭載した部材であって、前記ノズル支持部材（４）に位置可変に固定されるノズル固定部材（６）を備える、請求項１または２に記載の室外機の補助冷却装置。
【請求項４】
前記ノズル固定部材（６）が前記ノズル支持部材（４）に対してスライド可能に固定される部材である、請求項３に記載の室外機の補助冷却装置。
【請求項５】
前記室外機取付け部材（５）は、前記室外機（１０）に取り外し可能に係止される係止部（５ａ）を有する、請求項１〜４のいずれかに記載の室外機の補助冷却装置。
【請求項６】
前記ノズル支持部材（４）および室外機取付け部材（５）が、棒から構成される骨組構造である、請求項１〜５のいずれかに記載の室外機の補助冷却装置。
【請求項７】
ノズルに接続され当該ノズルに散水用の水を給水する導水管であって、ノズル（２）を搭載したノズル固定部材（６）の固定位置の変更に応じて、曲げ変形により長さの調整ができる導水管（３）とを備える、請求項１〜６のいずれかに記載の室外機の補助冷却装置。
【請求項８】
前記導水管（３）は、複数のノズル（２）の間を接続するものである、請求項７に記載の室外機の補助冷却装置。
【発明の詳細な説明】
【０００１】
【発明の属する技術分野】
本発明は、室外機の補助冷却装置に関し、より特定的には、室外機の大小や各種型式によらず簡便に取り付けることができ、かつ散水ノズルを最適な位置に移動設定することができる室外機の補助冷却装置に関する。
【０００２】
【従来の技術】
空気調和機の室外機では熱交換が行われるので、熱交換の効率を上げるために凝縮機を補助的に冷却することが行われる場合がある。このため、室外機の凝縮機に水を放散する補助冷却装置が当該室外機に取り付けられ、外気温度上昇の程度に応じて、散水冷却が行われる。この補助冷却装置は統一的な規格がないので、あるメーカの室外機には取り付けることができても、他のメーカの室外機には取り付けできない場合が生じていた。
【０００３】
これを打開するために、ノズルを取り付ける枠を構成する棒の指し込みを自在とするスリーブを用い、その棒の長さを切断などして上記枠のサイズを調整して、各型式の室外機への取り付けを可能とした補助冷却装置の提案がなされた（特許第３００９８７４号）。この補助冷却装置を用いることにより、各型式の室外機に補助冷却装置を取り付けることができ、しかも、上記枠を構成する棒の切断寸法の大小によって室外機に対するノズルの位置を相対的に変えることができる。
【０００４】
【発明が解決しようとする課題】
しかしながら、上記の補助冷却装置では、ノズルの室外機に対する相対的な位置が変わるといっても、枠を構成する棒を切断するので、棒が切断された後では、そのノズルの位置は固定されてしまう。ノズル部の水圧に応じて散水の及ぶ範囲は変化するので、例えば給水圧力が低いときに、ノズルの位置を室外機に対して相対的に高くして散水範囲を広げることができない。この結果、室外機の凝縮機に充分散水することができない場合を生じる。このため、ノズル位置を簡便に変更することができる補助冷却装置の開発が望まれていた。
【０００５】
上記の補助冷却装置の室外機への取り付けには、室外機の型式や大小に応じて取付枠を構成する棒の切断等をともなうので、取り付け作業時間が多くかかっていた。このため、より簡便な取り付けを行い、取り付け時間の短縮をすることができる補助冷却装置が望まれていた。
【０００６】
さらに、上記の補助冷却装置では、取り付け対象の室外機の型式、大小によっては、取り付け枠の棒を大きく切断し、元の取り付け枠の原形から大きく変形してしまう場合がある。この変形は、取り付け作業を行う作業員の感覚にも依存し、設計時の良好な外観を損ねる場合があった。
【０００７】
そこで、本発明は、ノズル支持枠を構成する棒の切断等をすることなく、室外機の種類を問わず簡便に短時間のうちに取り付けができ、ノズル位置の変更が可能な補助冷却装置を提供することを目的とする。
【０００８】
【課題を解決するための手段】
本発明の室外機の補助冷却装置は、熱交換装置に水を放散するノズルと、ノズルを支持するノズル支持部材と、ノズル支持部材が取り付けられた部材であって、室外機に取り付けられる室外機取付け部材とを備え、ノズルはノズル支持部材に位置可変に固定され、ノズル支持部材を室外機取付け部材に取り付ける連結部は、当該両部材への連結位置を相対的に変えるものである（請求項１）。
【０００９】
上記の構成により、ノズル位置を簡便に変更することができる。上記のノズル支持部材は鉛直方向に沿ってノズル位置を変更できるように、鉛直方向に沿って延びる形状を有するのが普通である。このため、例えば給水圧力が低いとき、鉛直方向に沿ってノズル位置を高くして、ノズル位置より低い所定高さにおける散水範囲を拡大して凝縮機に充分散水することができる。また、上記の連結部の構成により、室外機取付け部材の全体的なサイズを調整して、室外機の大小や型式によらず、補助冷却装置を取り付けることができる。また、範囲は限定的で、かつ間接的であるが、上記サイズの調整により、ノズル位置の変更もできる。また、上記室外機取付け部材は、室外機に対して水平方向に位置可変に取り付けられる場合が多いので、水平方向の位置の移動は室外機取付け部材を室外機に対して移動させて行うことができる。
【００１０】
本発明の別の室外機の補助冷却装置は、熱交換装置に水を放散するノズルと、ノズルを支持するノズル支持部材と、ノズル支持部材が取り付けられた部材であって、室外機に取り付けられる室外機取付け部材とを備え、ノズルはノズル支持部材に位置可変に固定され、ノズル支持部材と室外機取付け部材とを連結する部材であって、ノズル支持部材と室外機取付け部材とのうちの少なくとも一方に位置可変に固定されたノズル支持部固定部材を備える（請求項２）。上記の構成により、ノズル位置を簡便に変更することができる。上記のノズル支持部材は鉛直方向に沿ってノズル位置を変更できるように、鉛直方向に沿って延びる形状を有するのが普通である。このため、例えば給水圧力が低いとき、鉛直方向に沿ってノズル位置を高くして、ノズル位置より低い所定高さにおける散水範囲を拡大して凝縮機に充分散水することができる。上記のように、ノズル支持部固定部材は、ノズル支持部材と室外機取付け部材とのうちの少なくとも一方に位置可変に固定することができる。このため、大小各型式の室外機に対して、この補助冷却装置を取り付けすることができる。この取り付けは、非常に簡便に行うことができ、したがって、取り付け時間の短縮をはかることができる。また、この取り付けには、部材の切断をともなわないので、外観は設計時の良好な外観を保つことができる。上記のノズル支持部固定部材は、ノズル支持部材と室外機取け部材との両方から脱離させることもできるし、いずれか一方に固定されていてもよい。このため、ノズル支持部材と室外機取け部材とを分離させて、梱包容積をコンパクトにすることができる。また、上記室外機取付け部材は、室外機に対して水平方向に位置可変に取り付けられる場合が多いので、水平方向の位置の移動は室外機取付け部材を室外機に対して移動させて行うことができる。上記本発明の室外機の補助冷却装置では、ノズルを搭載した部材であって、ノズル支持部材に位置可変に固定されるノズル固定部材を備えてもよい（請求項３）。
【００１１】
位置決めやその位置への固定等には関係無く、ノズルを搭載した状態を保つので、ノズルを位置可変で安定に固定することができる。このため、散水噴射の反動圧にも、余裕をもって意図したノズル姿勢を維持することができる。
【００１２】
上記本発明の室外機の補助冷却装置では、ノズル固定部材がノズル支持部材に対してスライド可能に固定される部材である（請求項４）。
【００１３】
ノズル固定部材をノズル支持部材に対してスライド可能とすることにより、ノズル位置の微調節ができ、また、ノズル位置の変更をスムースに行うことが可能となる。
【００１８】
上記本発明の室外機の補助冷却装置では、室外機取付け部材は、室外機に取り外し可能に係止される係止部を備えている（請求項５）。
【００１９】
上記係止部により、室外機に簡便に係止することができるので、補助冷却装置の室外機への取り付けが非常に容易化され、取り付け時間の短縮を得ることができる。また、大小、各種の室外機に対して、ほぼ同じ設計時の良好な外観を保持することができる。なお、ノズル位置の水平方向の位置の変更は、この係止部の室外機への係止位置を変えることにより行うことができる。
【００２０】
上記本発明の室外機の補助冷却装置では、ノズル支持部材および室外機取付け部材が、棒から構成される骨組構造である（請求項６）。
【００２１】
上記骨組構造により室外機に対する良好な空気の流通を確保し、かつ上記棒の径や棒の本数（密度）を加減することにより、外部の強風、散水噴射の反力などに余裕をもって耐える充分な強度を確保することができる。また、骨組構造は簡素な構造であり、材料費用も組立て費用も安価である。
【００２２】
上記本発明の室外機の補助冷却装置では、ノズルに接続され当該ノズルに散水用の水を給水する導水管であって、ノズルを搭載したノズル固定部材の固定位置の変更に応じて、曲げ変形により長さの調整ができる導水管とを備えている（請求項７）。
【００２３】
このような導水管を用いることにより、ノズル位置の変更を容易に行うことができる。とくに、複数のノズルを用いる場合、ノズル間の間隔を変更する場合に非常に有用である。
【００２４】
上記本発明の室外機の補助冷却装置では、導水管は、複数のノズルの間を接続するものである（請求項８）。
【００２５】
この構成により、ノズル間隔を変える場合、上記の導水管を曲げることによりノズル間隔を調節することができる。その際のノズル位置の変更は、例えばノズル固定部材により行うことができる。
【００２６】
また、上記本発明の室外機の補助冷却装置の望ましい形態として、次のものがある。室外機取付け部材が、棒から構成される室外機取付けフレームであり、ノズル支持部材が、棒から構成されるノズル支持フレームであり、ノズル支持部固定部材が、室外機取付けフレームに位置可変に固定され、ノズル支持フレームに摺動可能に固定された板状のノズル支持フレーム固定板であり、ノズル固定部材が、ノズル支持フレームに位置可変に固定された板状のノズル取付固定板であり、ノズルを各１個搭載したノズル固定板が２つノズル支持フレームに配置され、その２個のノズル間に曲げ可能な銅管が接続されている。
【００２７】
このように、ノズル支持部材と室外機取付け部材とを棒から構成されるフレーム構造とすることにより、簡明で耐久性のある装置の骨格を得ることができる。上記のフレームには、棒の補強材を付加しておくことが望ましい。また、ノズル支持部固定部材は、板状であり、ノズル支持フレームと室外機取付けフレームとのうちの少なくとも一方のフレームを構成する棒に位置可変に固定される。このため、そのフレーム構造の補強をし、かつ上記補助冷却装置のサイズの調節を簡便にすることができる。また、ノズル固定部材は、ノズルを搭載する板状の部材であって、ノズル支持フレームに位置可変に固定されるので、ノズル支持フレームを補強して、ノズル位置を簡便に変更することができる。２個のノズル間の間隔も導水管である銅管を曲げることにより、簡便に変更することができる。
【００２８】
この結果、軽量で安価な材料により高い耐久性の融通性に富んだ補助冷却装置を得ることができる。とくに、２個のノズルを有し、その２個のノズルの位置を簡便に変更することができる。また、各部材は切断などしなくても、大小各種の室外機に取り付けができるので、長期間にわたって良好な外観を保つことができる。また、各部材を分離する構成とすることができるので、梱包発送時の容積をコンパクトにすることができる。
【００２９】
【発明の実施の形態】
次に、図面を用いて本発明の実施の形態について説明する。図１は、本発明の補助冷却装置を室外機に取り付ける方法を説明する斜視図である。以後の説明において、骨組構造をフレームと呼ぶ。この補助冷却装置１には、銅製の導水管３で接続されたノズル２を搭載して固定したノズル固定板６が用いられている。このノズル固定板６は、ねじ６ａおよび押え金具（図１に図示せず）を用いてノズル支持フレーム４にスライド可能に固定されている。また、ノズル支持フレーム４は、室外機取付けフレーム５に固定されたノズル支持部固定板７によって、当該室外機取付けフレーム５に位置可変に固定されている。補強部材５ｂによって補強されたこの室外機取付けフレーム５には室外機１への係止部５ａが設けられており、この係止部５ａを室外機１に取り外し可能に係止させることにより、上記補助冷却装置１を室外機１０に取り付ける。図示されていないが、上記補助冷却装置への給水は、室外機から給水配管を接続して行われ、同時に給水の調整をする制御系の配線も行われる。
【００３０】
上記の構成において、室外機取付けフレーム５とノズル支持フレーム４との連結部は、ノズル支持部固定板７のノズル支持フレームへの固定位置を変更できるので、位置可変である。上記連結部の位置可変性を利用して補助冷却装置のサイズを適宜変更することにより、室外機の大小や型式によらず、補助冷却装置を室外機に装着することができる。このため、取り付け作業が非常に容易になり、取り付けの短時間化を実現することができる。また、フレームの切断をともなわないので、外観が大きく変形することがなく、室外機の型式によらず、設計時の良好な外観を得ることができる。
【００３１】
上記補助冷却装置の室外機への装着の後、さらに、ノズル２の位置は、ノズル支持フレーム４上において、ノズル固定板６の位置をスライドさせて変更することにより、容易に達成することができる。この位置の変更において、２つのノズルの間隔を変える場合には、銅製の導水管３を曲げる。この結果、給水圧力の変動に対処して適切な散水を行うためにノズル高さを変更する場合に、容易にノズル高さを変更することができる。すなわち、この補助冷却装置は、室外機の大小によらず取り付けが可能で、ノズル高さの変更を簡便に行うことができる、構造が簡明で耐久性のある補助冷却装置である。
【００３２】
次に、図１に示す連結部の各部材について説明する。図２はノズル支持部固定板７をおもて側から見た斜視図である。また、図３は上記ノズル支持部固定板を裏側から見た斜視図である。ノズル支持部固定板７は、端部７ｄにおいて室外機取付けフレーム５に固定されている。室外機取付けフレーム５を構成している２本の棒は、したがって、補強材５ｂとこのノズル支持部固定板７とによって一定間隔を保たれるように補強されている。図３において、ノズル支持フレーム４は、押え金具７ｂとねじ７ａとによってノズル支持部固定板７に押し付けられ、固定される。押え金具７ｂは独立した別部材なので、ノズル支持フレームの固定位置を容易に変更できることは言うまでもない。
【００３３】
また、図４はノズル固定板６をおもて側から見た斜視図であり、図５はノズル固定板６を裏側から見た斜視図である。図４および図５に示されたノズルは、図１に示した２個のノズルのうちの下方に配置されたノズルである。このノズル固定板６には、ノズル２がねじ２ｃによって固定されている。図１に示した導水管３は、ノズルの給水口２ｂに接続され、噴射口２ａから水が散出される。このノズル固定板６は、ノズル支持フレーム４をスライドし、ねじ６ａと押え金具６ｂとによってノズル支持フレーム４に固定される。このノズル固定板の構造により、ノズル位置を容易に変更することができ、ノズル位置高さを変更する事態に容易に対処することが可能となる。なお、ノズル位置の水平方向の変更は、室外機取付けフレーム５の係止部５ａの室外機への係止位置を水平方向にずらすことにより、簡単に行うことができる。
【００３４】
上記において、本発明の実施の形態について説明を行なったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内での全ての変更が含まれる。
【００３５】
【発明の効果】
本発明の補助冷却装置を用いることにより、室外機の大小や型式によらず、どのような室外機にも、短時間のうちに簡便に補助冷却装置を装着することができる。また、ノズル位置の変更を簡便に行うことができる。さらに、本発明の補助冷却装置は、上記の調整を行う際にノズル支持部材を構成するフレーム等の切断をすることないので、室外機の型式によらず設計時の良好な外観を得ることができる。また、簡明な構造であるので、高い耐久性を確保することが容易である。
【図面の簡単な説明】
【図１】本発明の実施の形態における補助冷却装置を室外機に取り付ける方法を説明する図面である。
【図２】図１に示すノズル支持部固定板をおもて側から見た斜視図である。
【図３】図１に示すノズル支持部固定板を裏側から見た斜視図である。
【図４】図１に示すノズル固定板をおもて側から見た斜視図である。
【図５】図１に示すノズル固定板を裏側から見た斜視図である。
【符号の説明】
１  補助冷却装置、２  ノズル、２ａ  ノズル固定用ねじ、２ｂ  導水管接続口、２ｃ  噴射口、３  導水管、４  ノズル支持フレーム、５  室外機取付けフレーム、５ａ  係止部、５ｂ  補強材、６  ノズル固定板、６ａ  ねじ、６ｂ  押え金具、７  ノズル支持部固定板、７ａ  ねじ、７ｂ  押え金具、７ｄ  ノズル支持部固定板端部、１０  室外機。
【図１】
0003621023.tif 000002
【図２】
0003621023.tif 000003
【図３】
0003621023.tif 000004
【図４】
0003621023.tif 000005
【図５】
0003621023.tif 000006